【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
振動子を発振させる第１の回路と、
前記第１の回路からの信号が入力される第２の回路と、
前記第１の回路が、基準電位になる第１の電極で挟まれて配置されているとともに、平面視で、前記第１の回路と前記第１の電極とが重なっている第１領域、および、前記第２の回路が、基準電位になる第２の電極で挟まれて配置されているとともに、平面視で、前記第２の回路と前記第２の電極とが重なっている第２領域を有する容器と、
を備えたことを特徴とする電子デバイス。
【請求項２】
前記容器は、少なくとも絶縁層と第１の導体層とを有する底板と、前記底板から立設された側壁と、前記側壁で囲まれた領域と、を備えており、前記第１の導体層は基準電位になる電極である請求項１に記載の電子デバイス。
【請求項３】
前記容器は、導電性を有するとともに、平面視で、前記側壁および前記側壁で囲まれた領域と重なるように配置されている蓋体を備えており、前記蓋体は基準電位になる電極である請求項２に記載の電子デバイス。
【請求項４】
互いに表裏の関係にある第１面と第２面とを備え、前記第１面が前記第１領域に臨むように前記第１領域と前記第２領域との間に設けられた基板を有し、
前記基板は、少なくとも第１絶縁層、第２絶縁層、および前記第１絶縁層と前記第２絶縁層との間にある第２の導体層を備えており、前記第２の導体層は基準電位になる電極である請求項３に記載の電子デバイス。
【請求項５】
前記容器を平面視したとき、前記基板は、前記側壁および前記側壁で囲まれた領域と重なるように配置されており、
前記基板の前記第１面側には、前記第１の回路を構成する電子部品が配置され、前記基板の前記第２面側には、前記第２の回路を構成する電子部品が配置されている請求項４に記載の電子デバイス。
【請求項６】
前記第１の導体層、前記蓋体、および、前記第２の導体層は、互いに電気的に接続されており、
前記第１の導体層および前記第２の導体層の組と、前記第２の導体層および前記蓋体の組と、のうち、一方の組が前記第１の電極であり、他方の組が前記第２の電極であり、
前記容器を平面視したとき、前記第１の導体層、前記蓋体、および、前記第２の導体層が、それぞれ、前記第１面側の前記電子部品が配置されている領域と前記第２面側の前記電子部品が配置されている領域とを覆っている請求項５に記載の電子デバイス。
【請求項７】
前記底板と前記基板とで挟まれた領域、および、前記蓋体と前記基板とで挟まれた領域のうち、一方が前記第１領域であり、他方が前記第２領域である請求項４ないし６のいずれか１項に記載の電子デバイス。
【請求項８】
前記基板の前記第１絶縁層および前記第２絶縁層は、セラミックスで構成されている請求項４ないし７のいずれか１項に記載の電子デバイス。
【請求項９】
前記第１の回路は発振回路であり、
前記第２の回路は、前記第１の回路からの信号の周波数を逓倍する逓倍回路と、前記逓倍回路からの信号を所定の出力形式に変換する出力回路と、を含む、請求項１ないし８のいずれか１項に記載の電子デバイス。
【請求項１０】
請求項１ないし９のいずれか１項に記載の電子デバイスを備えていることを特徴とする電子機器。
【請求項１１】
請求項１ないし９のいずれか１項に記載の電子デバイスを備えていることを特徴とする移動体。
【手続補正２】
【補正対象書類名】明細書
【補正対象項目名】００１１
【補正方法】変更
【補正の内容】
【００１１】
［適用例１］
本適用例の電子デバイスは、振動子を発振させる第１の回路と、
前記第１の回路からの信号が入力される第２の回路と、
前記第１の回路が、基準電位になる第１の電極で挟まれて配置されているとともに、平面視で、前記第１の回路と前記第１の電極とが重なっている第１領域、および、前記第２の回路が、基準電位になる第２の電極で挟まれて配置されているとともに、平面視で、前記第２の回路と前記第２の電極とが重なっている第２領域を有する容器と、
を備えたことを特徴とする。
【手続補正３】
【補正対象書類名】明細書
【補正対象項目名】００１３
【補正方法】変更
【補正の内容】
【００１３】
［適用例２］
本適用例の電子デバイスでは、前記容器は、少なくとも絶縁層と第１の導体層とを有する底板と、前記底板から立設された側壁と、前記側壁で囲まれた領域と、を備えており、前記第１の導体層は基準電位になる電極であることが好ましい。
【手続補正４】
【補正対象書類名】明細書
【補正対象項目名】００１６
【補正方法】変更
【補正の内容】
【００１６】
［適用例４］
本適用例の電子デバイスでは、互いに表裏の関係にある第１面と第２面とを備え、前記第１面が前記第１領域に臨むように前記第１領域と前記第２領域との間に設けられた基板を有し、
前記基板は、少なくとも第１絶縁層、第２絶縁層、および前記第１絶縁層と前記第２絶縁層との間にある第２の導体層を備えており、前記第２の導体層は基準電位になる電極であることが好ましい。
【手続補正５】
【補正対象書類名】明細書
【補正対象項目名】００１８
【補正方法】変更
【補正の内容】
【００１８】
［適用例５］
本適用例の電子デバイスでは、前記容器を平面視したとき、前記基板は、前記側壁および前記側壁で囲まれた領域と重なるように配置されており、
前記基板の前記第１面側には、前記第１の回路を構成する電子部品が配置され、前記基板の前記第２面側には、前記第２の回路を構成する電子部品が配置されていることが好ましい。
【手続補正６】
【補正対象書類名】明細書
【補正対象項目名】００２０
【補正方法】変更
【補正の内容】
【００２０】
［適用例６］
本適用例の電子デバイスでは、前記第１の導体層、前記蓋体、および、前記第２の導体層は、互いに電気的に接続されており、
前記第１の導体層および前記第２の導体層の組と、前記第２の導体層および前記蓋体の組と、のうち、一方の組が前記第１の電極であり、他方の組が前記第２の電極であり、
前記容器を平面視したとき、前記第１の導体層、前記蓋体、および、前記第２の導体層が、それぞれ、前記第１面側の前記電子部品が配置されている領域と前記第２面側の前記電子部品が配置されている領域とを覆っていることが好ましい。
【手続補正７】
【補正対象書類名】明細書
【補正対象項目名】００２３
【補正方法】変更
【補正の内容】
【００２３】
［適用例８］
本適用例の電子デバイスでは、前記基板の前記第１絶縁層および前記第２絶縁層は、セラミックスで構成されていることが好ましい。
これにより、強度の高い基板が得られる。
［適用例９］
本適用例の電子デバイスでは、前記第１の回路は発振回路であり、
前記第２の回路は、前記第１の回路からの信号の周波数を逓倍する逓倍回路と、前記逓倍回路からの信号を所定の出力形式に変換する出力回路と、を含む、ことが好ましい。
【手続補正８】
【補正対象書類名】明細書
【補正対象項目名】００２４
【補正方法】変更
【補正の内容】
【００２４】
［適用例１０］
本適用例の電子機器は、上記適用例の電子デバイスを備えていることを特徴とする。
これにより、信頼性の高い電子機器が得られる。
【手続補正９】
【補正対象書類名】明細書
【補正対象項目名】００２５
【補正方法】変更
【補正の内容】
【００２５】
［適用例１１］
本適用例の移動体は、上記適用例の電子デバイスを備えていることを特徴とする。
これにより、信頼性の高い移動体が得られる。
【手続補正１０】
【補正対象書類名】明細書
【補正対象項目名】００３６
【補正方法】変更
【補正の内容】
【００３６】
また、底板２１２は、絶縁層２１２１と、絶縁層２１２１の上面に設けられた導体層２１２２（第１の導体層）と、を備えている。
【手続補正１１】
【補正対象書類名】明細書
【補正対象項目名】００５１
【補正方法】変更
【補正の内容】
【００５１】
なお、本実施形態に係る支持基板３は、前述したように低温同時焼成セラミック基板で構成されており、２層の絶縁層３０１、３０１（第１絶縁層、第２絶縁層）と、その間に設けられた導体層３０２（第２の導体層）と、を備えている（図９参照）。このため、導体層３０２は、それを透過しようとする信号（ノイズ）を遮断または減衰させる電磁シールド層として機能する。また、導体層３０２の構成材料には、金（Ａｕ）、銀（Ａｇ）や銅（Ｃｕ）およびそれらの合金を用いることができるので、導体層３０２の電気伝導率を高めることができる。これにより、電磁シールド層としての機能をより高めることができる。